(57)【特許請求の範囲】
【請求項１】
構築物の躯体と連結できる躯体固定手段を設けた主軸部材と、この主軸部材に対してその長手方向に移動自在に設けられた従軸部材と、この従軸部材に足場の建地を固定できる建地固定手段とを設けた壁つなぎにおいて、前記従軸部材が、前記主軸部材の外側に位置する内管と、該内管の外側に位置する外管との二重管となっており、前記外管は長手方向に３つに分断されており、中間部外管には固定部材を介して前記建地固定手段が一体に固定されており、前記中間部外管の前後に位置する前部外管と後部外管とは、それぞれ前記従軸部材の前記内管に固定され、前記内管と一体になって回動できるようにしていることを特徴とする壁つなぎ。
【請求項２】
前記従軸部材の先端部の側面には、外管と内管とを貫通する貫通孔が開けられており、該貫通孔には雄ネジの径方向に貫通する回動軸部材が挿入され、該回動軸部材の一部が前記従軸部材の外管から突出している部分にリング部材を設けたことを特徴とする請求項１に記載の壁つなぎ。
【発明の詳細な説明】
【０００１】
【発明の属する技術分野】
この発明は、構築物とそれに沿って組み立てられる足場とを連結するための足場用の壁つなぎに関する。
【０００２】
【従来の技術】
従来から、図２に示すように、構築物の躯体１に沿って組み立てられる足場２は、倒壊や変形を防ぐために、壁つなぎ３により躯体１と連結するようにしている。
【０００３】
従来の壁つなぎ３は、本体である管状の従軸部材４の前端部（躯体１から離れた方）に、建地５を把持するクランプ６を溶接して取り付けている。また、従軸部材４の後端部（躯体１に近い方）の開口部の内部にはナット（図示せず）を溶接し、従軸部材４の開口部側から挿入されて前記ナットに螺合する主軸雄ネジ部７と、この主軸雄ネジ部７の開放側の先端にはアンカーボルト８が設けられている。
【０００４】
そして、この壁つなぎ３を足場２に組み付けるには、構築物の躯体１に直接又は予め埋設されたナット部材（図示せず）に、アンカーボルト８を螺着し、従軸部材４の回転操作により主軸雄ネジ部７に対して従軸部材４を進退させることで壁つなぎ３の長さを調整して、クランプ６の位置を所望の建地５の位置に合わせて、クランプ６に足場２の建地５を把持固定していた。
【０００５】
【発明が解決しようとする課題】
この従来の壁つなぎ３では、主軸雄ネジ部７と螺合しているナットが、従軸部材４の軸心位置に固定されており、主軸雄ネジ部７と従軸部材４とは同一直線上となるように組み立てられている。
【０００６】
そして、従軸部材４の前端部に取り付けられているクランプ６は、従軸部材４の延長線上にクランプ６に取り付けられる建地５が位置するように配置させているため、従来の壁つなぎ３を使用して足場２を構築物の躯体１へ取り付けた際には、図３に示したように、主軸雄ネジ部７、従軸部材４とクランプ６に取り付けられた建地５とがほぼ同一直線上に位置することとなる。
【０００７】
そのため、従来の壁つなぎ３にあっては、躯体１から建地５をなるべく遠ざけた位置に設置する場合には有利な構造といえるが、躯体１に建地５をなるべく近づける位置に設置するといった要望に対しては、十分に応えることができなかった。
【０００８】
つまり、躯体１に建地５を近づけるためには、壁つなぎ３の従軸部材４に対して主軸雄ネジ部７をその限度一杯までねじ込むことになるが、最終的には従軸部材４内の主軸雄ネジ部７の先端がクランプ６の取付面９に当接した状態を限度として、それ以上に主軸雄ネジ部８をねじ込むことが不可能となる。
【０００９】
したがって、従来の壁つなぎ３の構造では、躯体１に建地５をなるべく近づけるためには、主軸雄ネジ部７と従軸部材４の全長を短くすることとなる。しかし、同じ壁つなぎ３を使用して、躯体１から建地５を遠ざける場合には、主軸雄ネジ部７が従軸部材４から抜け出さない位置で止めなければならないため、主軸雄ネジ部７の全長が短い場合には、当然に躯体１と建地５との取り得る間隔が小さくなってしまい、有効調整寸法が極めて小さいものにならざるを得なかった。
【００１０】
さらに、従来の壁つなぎ３の最小寸法は、クランプ６が従軸部材４の前端部にあるため、従軸部材４と同一直線上にある主軸雄ネジ部７の全長より短くなることはなかった。
【００１１】
そのため、足場２を躯体１の外面から２００ｍｍ程度の極めて近い位置に設置するような要望がある場合には、長さ調整機能を有する従来の壁つなぎで対応することは物理的に困難であり、別途狭い場所専用の壁つなぎを使用しなければならなかった。
【００１２】
そこで、この発明は、以上のような長さ調整機能を有する従来の壁つなぎの問題を解消するために、躯体から足場までの距離が２００ｍｍといった狭い設置場所であっても使用でき、かつそれよりも広い設置場所にも十分適用できる寸法調整可能な壁つなぎを提供することを課題としている。
【００１３】
【課題を解決するための手段】
かかる課題を達成するために、請求項１に記載の発明は、構築物の躯体と連結できる躯体固定手段を設けた主軸部材と、この主軸部材に対してその長手方向に移動自在に設けられた従軸部材と、この従軸部材に足場の建地を固定できる建地固定手段とを設けた壁つなぎにおいて、前記従軸部材が、前記主軸部材の外側に位置する内管と、該内管の外側に位置する外管との二重管となっており、前記外管は長手方向に３つに分断されており、中間部外管には固定部材を介して前記建地固定手段が一体に固定されており、前記中間部外管の前後に位置する前部外管と後部外管とは、それぞれ前記従軸部材の前記内管に固定され、前記内管と一体になって回動できるようにしていることを特徴としている。
【００１４】
請求項２に記載の発明は、請求項２の構成に加え、前記従軸部材の先端部の側面には、外管と内管とを貫通する貫通孔が開けられており、該貫通孔には雄ネジの径方向に貫通する回動軸部材が挿入され、該回動軸部材の一部が前記従軸部材の外管から突出している部分にリング部材を設けたことを特徴としている。
【００１７】
【発明の実施の形態】
以下、この発明の実施の形態について、図１によって説明する。
【００１８】
図１は、この発明の実施の形態に係る壁つなぎの要部を断面とした使用状態の平面図である。
【００３４】
実施の形態に係る壁つなぎ３を足場２に組み付けるには、まず、構築物の躯体１に直接又は予め埋設されたナット部材（図示せず）に、アンカーボルト８を螺着する。
【００３５】
次に、従軸部材４の回転操作により主軸部材７上を前進させて躯体１から従軸部材４を引き離すか、又は従軸部材４の回転操作により主軸部材７上を後退させて躯体１へ従軸部材４を近づけるかして、壁つなぎ３の長さを調整する。
【００３６】
この長さ調整作業により、クランプ６の位置を所望の建地５の位置に合わせて、従軸部材４の外周面に取り付けられたクランプ６に足場２の建地５を把持固定する。
【００３８】
もし、現場の状況によってアンカーボルト８が当初の位置では不都合な場合には、主軸部材７に対して従軸部材４を半回転回すことで、クランプ６の位置を主軸部材７の手前側或いは向こう側に変更して、その取付位置を変更すればよい。
【００４０】
この発明の実施の形態に係る壁つなぎ３によれば、図１に示したように、クランプ６は従軸部材４の側面に取り付けられているから、従軸部材４を主軸部材７に対して前進及び後退する方向に移動させたときに、主軸部材７がクランプ６と干渉することはなく、クランプ６に把持固定される建地５とも干渉することがない。したがって、主軸部材７の全長を壁つなぎ３の長さ調整に有効に利用できることとなる。
【００４３】
この発明の実施の形態に係る壁つなぎ３では、主軸部材７の後端部にはアンカーボルト８が取り付けられており、主軸部材７の先端部には固定雌ネジ１９が溶接にて一体に固定されている。
【００４４】
主軸部材７は、主軸部材７に設けた固定雌ネジ１９と螺合する、雄ネジ２０と一体になって回動する従軸部材４に内挿されている。
【００４５】
この発明の実施の形態に係る壁つなぎ３では、従軸部材４が断面円形の二重管となっており、外管２１は長手方向に３つに分断されており、中間部外管２１ａには、固定部材２２を介してクランプ６が一体に固定されている。固定部材２２は断面コ字状をしており、中間部外管２１ａの外周を断面コ字状の上下のフランジ部で抱持するようにしてその中間のリブ部の平坦な面を利用してクランプ６を固定できるようにしている。
【００４６】
中間部外管２１ａの前後に位置する前部外管２１ｂと後部外管２１ｃとは、それぞれ従軸部材４の内管２３に固定され、内管２３と一体となって回動できるようになっている。
【００４７】
従軸部材４の先端部の側面には、外管２１と内管２３とを貫通する貫通孔２４が開けられている。そして、この貫通孔２４には、雄ネジ２０をその径方向に貫通する回動軸部材２５が挿入されている。
【００４８】
従軸部材４の外管２１から突出している回動軸部材２５の一方には、しのやラジエットレンチ等の工具の尖端が挿入できるリング部材２６が設けられており、他方の突出部はかしめ加工等により抜け止め部２７が形成されている。
【００５１】
主軸部材７は、予めアンカーボルト８によって躯体１に固定されているものとする。そこで、従軸部材４の外管２１から突出している回動軸部材２５のリング部材２６に、しのやラジエットレンチ等の工具の尖端を挿入して従軸部材４を回転操作すると、この回転操作に伴って雄ネジ２０が主軸部材７に設けられている雌ネジ１９内を前進（アンカーボルト８に近づく方向に移動）して躯体１へ従軸部材４を近づけるか、又は雌ネジ１９内を後退（アンカーボルト８から離れる方向に移動）して躯体１から従軸部材４を引き離して、壁つなぎ３の長さを調整することができる。
【００５２】
もし、現場の状況によってアンカーボルト８が当初の位置では不都合な場合には、従軸部材４のクランプ６が固定されている中間部外管２１ａが、前部外管２１ｂと後部外管２１ｃとは独立して内管２３の周りを回動できるため、中間部外管２１ａを内管２３に対して半回転回すことで、クランプ６の位置を主軸部材７の手前側或いは向こう側に変更して、その取付位置を変更すればよい。
【００５４】
【発明の効果】
以上説明してきたように、請求項１に記載された発明によれば、主軸部材の軸心から外れた位置に当たる従軸部材の外側面にクランプが取り付けられているので、主軸部材に対して従軸部材を後退させた場合に、主軸部材の先端より躯体側に近い位置にクランプが収まるため、従来の壁つなぎに比べてクランプを躯体により近づけることができ、これにより、躯体から足場までの距離が２００ｍｍといった狭い場所であっても使用できると共に、従軸部材を主軸部材から引き離す方向に移動することで躯体から建地を遠ざけることも可能となり、広い場所に足場を設置する場合にも適用できる壁つなぎを提供できる。また、従軸部材のクランプが固定されている中間部外管が、前部外管と後部外管とは独立して内管の周りを回動できるため、中間部外管を内管に対して半回転回すことで、クランプの位置を主軸部材の手前側或いは向こう側に変更して、その取付位置を変更することで、現場の状況によってアンカーボルトが当初の位置では不都合な場合に、その取付位置を変更できる。
【００５５】
請求項２に記載の発明によれば、請求項１の発明の効果に加えて、従軸部材の外管から突出しているリング部材に、しのやラジエットレンチ等の工具の先端を挿入して従軸部材を回転操作すれば、壁つなぎの長さを調整することができる。
【図面の簡単な説明】
【図１】  この発明の実施の形態に係る壁つなぎの要部を断面とした使用状態の平面図である。
【図２】  従来の壁つなぎの使用状態を示した正面図である。
【図３】  従来の壁つなぎの使用状態を示した平面図である。
【符号の説明】
１  躯体
２  足場
３  壁つなぎ
４  従軸部材
５  建地
６  クランプ
７  主軸部材
８  アンカーボルト（躯体固定手段）
１９  雌ネジ
２０  雄ネジ
２１  外管
２２  固定部材
２３  内管
【図１】
0003872248.tif 000002
【図２】
0003872248.tif 000003
【図３】
0003872248.tif 000004